【手続補正書】
【提出日】平成23年9月6日(2011.9.6)
【手続補正１】
【補正対象書類名】特許請求の範囲
【補正対象項目名】全文
【補正方法】変更
【補正の内容】
【特許請求の範囲】
【請求項１】
第１及び第２コヒーレント光波（６ａ、６ｂ）を干渉させる、糸（５）の速度測定方法であって、
ここで、第１光波（６ａ）は、糸（５）によって散乱させられた光を含み、そして、糸（５）に投射される第１光ビーム（４ａ）から生じた光波であるものとし、
第２光波（６ｂ）は、第２光ビーム（４ｂ）から生じた光波であるものとし、そして、
糸（５）の速度を光検出器（８）において光波（６ａ、６ｂ）間のドップラー干渉から求めるものとする、前記方法において、
糸（５）と接触させることなく、第２光ビーム（４ｂ）を光検出器（８）へ導入させ、そして、第１及び第２光ビーム（４ａ、４ｂ）が互いに平行に、しかし、互いに間隔を設けて進行することを特徴とする、前記方法。
【請求項２】
第１及び第２光ビーム（４ａ、４ｂ）が互いにオーバーラップしない、請求項１に記載の方法。
【請求項３】
コヒーレント光源からの１次光ビーム（２）を少なくとも部分的に透明な物体（２０）に投射し、そして、前記物体（２０）から反射により分割することによって、第１及び第２光ビーム（４ａ、４ｂ）を発生する、請求項１又は２に記載の方法。
【請求項４】
コヒーレント光源（１）からの１次光ビーム（２）を、少なくとも部分的に透明な物体（２０）に投射して、反射によって前記物体（２０）から分割して、そして、反射が物体（２０）の互いに平行な面（１２、１３）において起こり、第１及び第２光ビーム（４ａ、４ｂ）を発生する、請求項３に記載の方法。
【請求項５】
１次光ビーム（２）が第１面（１２）から物体（２０）に入射し、１次光ビーム（２）の一部が反射して第１又は第２光ビーム（４ａ、４ｂ）を発生させ、そして、物体（２０）の第１面（１２）と対向する第２面（１３）において１次光ビーム（２）が反射して、次に、第１面（１２）を通って物体（２０）から射出し、第２もしくは第１光ビーム（４ｂ、４ａ）を発生する、請求項４に記載の方法。
【請求項６】
糸（５）の所定領域を結像光学系（７）で光検出器（８）に結像し、そして、結像光学系（７）の傍を通過させて第２光ビーム（４ｂ）を光検出器（８）へ導入する、請求項１〜５のいずれか１項に記載の方法。
【請求項７】
測定された速度から糸の欠陥部分の位置及び/又は長さを求める、請求項１〜６のいずれか１項に記載の方法。
【請求項８】
糸を巻取り、そして、巻取られた糸の長さを、測定された速度から算出する、請求項１〜７のいずれか１項に記載の方法。
【請求項９】
糸を巻取り、そして、測定された速度から時間依存性の速度経過を求める、請求項１〜８のいずれか１項に記載の方法。
【請求項１０】
巻取り部において、糸を溝付きドラムへ導入して、溝付きドラムの幾何形状によって予め設定された既知の経過を糸に強制し、そして、得られた速度経過と既知の経過とを比較することによって、特に、糸が正しく溝付きドラムに導入されるかどうかをチェックする、請求項９に記載の方法。
【請求項１１】
測定された速度から糸の加速度を測定し、特に、加速度を糸の引張強度の目安として利用する、請求項１〜１０のいずれか１項に記載の方法。
【請求項１２】
第１光ビーム（４ａ）が糸に集束しない、及び/又は、少なくとも１ｍｍの直径、特に、少なくとも２ｍｍの直径を有する、請求項１〜１１のいずれか１項に記載の方法。
【請求項１３】
所定の糸領域（１１）を通過するように糸（５）を導入する糸導入手段（１０）と、
１次光ビーム（２）を発生させるためのコヒーレント光源（１）と、
１次光ビーム（２）からの第１及び第２光ビーム（４ａ、４ｂ）を発生させるビーム・スプリッタ（３）であって、ここで、前記ビーム・スプリッタは、第１光ビーム（４ａ）が、所定の糸領域を通過して、糸（５）において散乱させられる第１光波（６ａ）を発生するように配置されるものとする、前記ビーム・スプリッタ（３）と、
第１光波（６ａ）と第２光ビーム（４ｂ）から発生する第２光波（６ｂ）との間のドップラー干渉を測定する光検出器と、
を含む糸（５）の速度を測定する装置であって、
ここで、
第２光ビーム（４ｂ）が糸の所定領域を通過せず、従って、糸（５）と接触することなく光検出器（８）に入射するようにビーム・スプリッタ（３）を配置するものとする、前記装置において、
ビーム・スプリッタ（３）が、第１及び第２面（１２、１３）を有する透明体（２０）を含み、ここで、前記第１及び第２面は、互いに平行であるものとする、
第１及び第２面（１２、１３）における反射によって、１次光ビーム（２）が第１及び第２光ビーム（４ａ、４ｂ）に分割され、そして、
第１及び第２光ビーム（４ａ、４ｂ）が、互いに平行に間隔を保って進行することを特徴とする、前記装置。
【請求項１４】
糸（５）の領域を光検出器（８）上に結像する結像光学系（７）を設置し、そして、第２光ビーム（４ｂ）が結像光学系（７）の傍を通過させて光検出器（８）へ導入される、請求項１３に記載の装置。
【請求項１５】
繊維機械の巻取り部において、走行する糸の品質のモニター及び/又は改善を目的とする、請求項１〜１４のいずれか１項に記載の方法又は装置の使用。
【請求項１６】
欠陥部分の位置及び/又は長さをドップラー干渉によって検出し、特に、欠陥部分を切除するために、欠陥部分の位置及び/又は長さに応じて糸を巻戻すことを目的とする、請求項１５に記載の使用。
【請求項１７】
ドップラー干渉から糸の毛羽立ち量を測定し、特に、この毛羽立ち量を出力し、及び/又は、羽立ち限界値と比較して毛羽立ち限界値を超える場合にアラーム信号を発し、及び/又は、巻取り速度を落とし、及び/又は、糸の引張強度を低下させ、及び/又は、巻取りプロセスを停止することを目的とする、請求項１４又は１５に記載の使用。
【請求項１８】
糸を巻取ることによって得られる紡錘の品質をモニター及び/又は改善することを目的とする、請求項１〜１４のいずれか１項に記載の方法又は装置の使用。
【請求項１９】
巻取られた長さを測定し、及び/又は、所定の基準長さに達すると巻取りを停止又は巻枠交換を開始する、請求項１８に記載の使用。
【請求項２０】
糸の速度経過を測定し、速度経過をスペクトル解析にかけることによって周波数プロフィールを求め、これを周波数プロフィールの上限及び/又は下限と比較して、
周波数プロフィールの上限を超えるかもしくは下限を下回る場合に、エラーを表示するか、又は、巻取り工程の修正措置を取ることを目的とする、請求項１８又は１９に記載の使用。
【請求項２１】
測定された速度と変位ストロークから紡錘の直径（特に、円錐状紡錘の内径及び/又は外径）を求め、そして、特に、紡錘回転数を求め、この紡錘回転数と測定された糸の速度から直径を求めることを目的とする、請求項１８〜２０のいずれか１項に記載の使用。
【請求項２２】
測定された速度から紡錘の密度を求め、そして、特に、紡錘の密度を表示、及び/又は、密度が所定密度値の上限を超えるかもしくは所定密度値の下限を下回る場合に、アラーム信号を発することを目的とする、請求項１８〜２１のいずれか１項に記載の使用。
【請求項２３】
ドラムの角速度もしくは周囲速度を測定し、速度信号を利用して紡錘の周囲速度とドラムの周囲速度との間のスリップを測定し、そして、特に、ドラムと紡錘との間のスリップをモニターして所定の基準のスリップ又はスリップ態様と比較し、スリップが基準のスリップ又はスリップ態様からずれているとアラーム信号を発する、及び/又は、巻取りプロセスを自動的に修正する（制御する）、及び/又は、巻取りプロセスを停止することを目的とする、請求項１８〜２２のいずれか１項に記載の使用。
【請求項２４】
巻取りプロセスをスピードアップする際にドラムと紡錘との間のスリップをモニターし、具体的には、駆動装置を所定の基準スリップ及び/又は所定のスリップ態様に合わせて制御することを目的とする、請求項１８〜２３のいずれか１項に記載の使用。
【請求項２５】
特に速度変動を測定することによって、走行中の糸の糸切れ又は詰まりを非接触的に検出することを目的とする、請求項１〜１４のいずれか１項に記載の方法又は装置の使用。